(57)【特許請求の範囲】
【請求項１】
上ケース（１０）及び下ケース（２０）からなる本体と、
前記本体内の再生位置で衝撃を吸収するフローティング状態に支持される下シャーシ（４０）と、
前記下シャーシ（４０）に載置されて駆動する駆動源（４３）と、
前記下シャーシ（４０）上で前記駆動源（４３）により左右方向に摺動するカム（４４ａ）が形成されたスライダ（４４）と、
前記下シャーシ（４０）の左右両側面で回転可能に支持され、前記カム（４４ａ）と係合して前記スライダ（４４）の動作に連動して先端側を昇降するアーム（５０）と、
前記下シャーシ（４０）の上部で前記アーム（５０）の先端に支持されて昇降するとともに前記駆動源（４３）に連動する排出アーム（４６）により前記記録媒体（１）を保持して再生位置と排出位置とに前後動するサブシャーシ（３２）を有した上シャーシ（３０）と、
前記スライダ（４４）に設けられたロック軸（４４ｂ）、及び前記サブシャーシ（３２）に設けられたロックピン（３４）、並びに前記アーム（５０）からなる、前記下シャーシ（４０）のフローティング状態をロックするロック専用部品とを備え、
前記ロック専用部品は、前記記録媒体（１）の排出時に、前記駆動源（４３）から前記スライダ（４４）を介して前記アーム（５０）が前記上シャーシ（３０）を上昇させて前記サブシャーシ（３２）を排出位置に摺動させ、この摺動により前記サブシャーシ（３２）のロックピン（３４）が前記上ケース（１０）に係合するとともに、前記スライダ（４４）の摺動により前記ロック軸（４４ｂ）が前記下ケース（２０）に設けたクランク状の切り欠き部（２２ａ）を形成した軸ロック部（２２）に係合することで前記下シャーシ（４０）と共に前記アーム（５０）が前後動して該アーム（５０）の先端を前記上ケース（１０）に係合させることを特徴とするフローティングロック装置。
【請求項２】
請求項１に記載のフローティングロック装置において、
前記ロック専用部品は、前記スライダ（４４）から延在するロック軸（４４ｂ）の中間部を細く設け、このロック軸（４４ｂ）の細い中間部を前記軸ロック部（２２）のクランク状の切り欠き部（２２ａ）に嵌入することを特徴とするフローティングロック装置。
【請求項３】
請求項１に記載のフローティングロック装置において、
前記アーム（５０）には、前記ロック専用部品として前進時または後退時のいずれかによる摺動動作時に前記本体内の上面に係合する先端部（５０ａ又は８０ａ）を設けるとともに、この係合時に前記下シャーシ（４０）の底面を保持する受け部（５０ｂ）を一体に形成したことを特徴とするフローティングロック装置。
【請求項４】
請求項１に記載のフローティングロック装置において、
前記下シャーシ（４０）は、両側面に複数のダンパ（６０）を装着し、このダンパ（６０）を前記本体の上ケース（１０）及び下ケース（２０）により保持してフローティング状態に支持していることを特徴とするフローティングロック装置。
【請求項５】
請求項１に記載のフローティングロック装置において、
前記駆動源は、モータ（４３）であることを特徴とするフローティングロック装置。
【発明の詳細な説明】
【０００１】
【発明の属する技術分野】
本発明は、フローティングロック装置に係り、より詳細には本体内で記録媒体を再生するフローティング状態のフローティングシャーシを排出（イジェクト）動作に伴って固定するフローティングロック装置に関する。
【０００２】
【従来の技術】
従来、例えば、ＭＤ、ＭＯ等の記録媒体を再生する再生装置は、箱状のケース内でダンパによりフローティング（浮遊）状態に支持したフローティングシャーシを設け、このシャーシにより振動などの衝撃を吸収している。これにより再生装置は、記録媒体から正確に情報を読み取り再生することが可能となる。しかし、再生が終了して記録媒体を排出する場合、安全に記録媒体を排出するためにフローティング状態のフローティングシャーシをケース内に固定することが必要とされる。そこで従来、このような再生装置には、記録媒体を排出する際にフローティングシャーシをケース内に固定するためのフローティングロック装置を備えている。
【０００３】
図６は、このようなＭＤ再生装置に採用した従来のフローティングロック装置を示す構成図である。また、図７は、図６に示したフローティングロック装置の動作を示す動作説明図であり、図７（ａ）はローディング状態を、図７（ｂ）はアンローディング状態を各々示している。また、図８は、図７に示したスライダ１４４の動作を示す図であり、図８（ａ）はフローティングしている状態を、図８（ｂ）はロックした状態を各々示している。
【０００４】
図６に示すように、ＭＤ再生装置に採用した従来のフローティングロック装置は、ＭＤ再生装置の内部に収納する上面及び側面を備えた板状の上ケース１１０と、この上ケース１１０の底面に装着する板状に延在した下ケース１２０と、この上ケース１１０及び下ケース１２０の内部にフローティング（浮遊）状態に支持される下シャーシ１４０と、この下シャーシ１４０の上部にＭＤ１を保持して搬送する上シャーシ１３０とを備えている。
ここで、上ケース１１０は、上面を図６に示した前後方向に細長く開口して前方の一端が狭くなるように形成したピンロック部１１２を備えている。また、上ケース１１０には、両側面の下端を一部切り欠いたダンパ固定部１１４を形成している。
【０００５】
また、上シャーシ１３０は、内部に前後方向に摺動可能なサブシャーシ１３２を収納し、バネ１３１の反転バネ作用により前後方向のいずれか一方に付勢している。このサブシャーシ１３２には、上面に突出するロックピン１３４が設けられている。このロックピン１３４は、上シャーシ１３０の上面に細長く切り欠いた開口部１３８を形成し、この開口部１３８から突出するように形成している。また、上シャーシ１３０には、左右両側面から突出するシャーシピン１３６が設けてある。
【０００６】
また、下シャーシ１４０は、両側面に上シャーシ１３０のシャーシピン１３６を設置する設置部１４１を形成しており、この設置部１４１の近傍にはロック脚１４２が回転可能に軸支されている。また、下シャーシ１４０には、所定の電力により回転駆動するモータ１４３を後部に載置している。このモータ１４３の近傍には、モータ１４３の動作に連動して左右方向にスライドするスライダ１４４を設けてある。このスライダ１４４には、略クランク形状に開口したカム１４４ａと、スライダ１４４を左右にスライドさせるギヤ１４４ｃとを備えている。また、モータ１４３の近傍には、モータ１４３の動作に連動して回動する排出アーム１４６を配置している。また、下シャーシ１４０には、左右両側面に振動等の衝撃を吸収できるダンパ１６０を４箇所装着できるように形成するとともに、後述するアーム１５０を回転可能に支持するアームピン１４５を設けている。
この下ケース１２０には、下シャーシ１４０を固定するため、後部表面に軸ロック部１２２と、この軸ロック部１２２の近傍に設けたプレートロック部１２５と、左右両側の近傍に２箇所突出する脚ロック部１２４とを一体に形成している。また、下ケース１２０は、左右両端から上部に突出してダンパ１６０を支持する支持部１２６が４箇所設けられている。
【０００７】
ここで、上シャーシ１３０は、シャーシピン１３６を下シャーシ１４０の設置部１４１に設置するとともにロック脚１４２に係合することで支持させる。この際、シャーシピン１３６には、後部からコ字状に形成されたアーム１５０が係合するように装着される。このアーム１５０は、両側から平行に延在する先端部に係合部１５６を設け、この係合部１５６をシャーシピン１３６に嵌入することで係合している。また、アーム１５０は、係合部１５６の近傍にアーム孔１５４を設け、下シャーシ１４０のアームピン１４５に回転可能に装着している。また、アーム１５０は、内側後部に突出したピン１５２を設けてあり、このピン１５２をロックプレート１５７に挿入するとともに、スライダ１４４のカム１４４ａに挿入している。
【０００８】
このような構成からなる従来のフローティングロック装置は、図７（ａ）に示すように、ダンパ１６０により上シャーシ１３０と下シャーシ１４０とが上ケース１１０及び下ケース１２０の内部にフローティング状態で設置される。この際、ダンパ１６０は、図６に示した上ケース１１０のダンパ固定部１１４に圧入し、この上ケース１１０に下ケース１２０を装着することでダンパ１６０が支持部１２６により支持される。
【０００９】
そして、このような従来のフローティングロック装置は、図７（ａ）に示したフローティング状態からＭＤ１を排出する際に下シャーシ１４０をロック状態にするフローティングロック動作を実行する。ここで、まずＭＤ１をローディングした状態から排出する場合、モータ１４３が駆動し、この回転動作をギヤ１４４ｃ（図６参照）により左右の動作に変換することでスライダ１４４が左右方向にスライドする。そして、スライダ１４４が左右にスライドすると、このスライダ１４４のカム１４４ａに挿入されたアーム１５０のピン１５２が上下に動作し、アーム１５０がアーム孔１５４を中心に回動する。また、スライダ１４４が左右にスライドすると、アーム１５０の回動に伴って排出アーム１４６が回転する。このように、モータ１４３が駆動すると、図７（ｂ）に示すように、アーム１５０が回動して上シャーシ１３０を上方向に上昇させるとともに、排出アーム１４６が回転して上シャーシ１３０内のサブシャーシ１３２を前方向に押し出してバネ１３１の反転を利用して付勢力によりＭＤ１を排出する。
【００１０】
この際、サブシャーシ１３２に設けたロックピン１３４は、上ケース１１０の上面に形成したピンロック部１１２（図６参照）に挿入される。また、ロック脚１４２は、図７（ｂ）に示したように、アーム１５０の回転動作に連動して上シャーシ１３０が上昇するタイミングと同時に回動し、下ケース１２０に設けた脚ロック部１２４に係合する。これにより上シャーシ１３０及び下シャーシ１４０は、ロックピン１３４とロック脚１４２とにより上ケース１１０及び下ケース１２０内で図６に示した左右上下の動作を固定することができる。
【００１１】
また、図８（ａ）に示すように、スライダ１４４の底部には、垂直に延長するロック軸１４４ｂが設けられている。このロック軸１４４ｂは、スライダ１４４の底面から延在して中間部を細く形成している。そして、ロック軸１４４ｂの近傍には、下ケース１２０が位置しており、この表面にはロック軸１４４ｂが移動する方向に略Ｕ字状の切り欠き部を設けた軸ロック部１２２を形成している。従って、ロック軸１４４ｂは、モータ１４３（図７参照）の駆動によりスライダ１４４がスライドすることで、図８（ｂ）に示すように、軸ロック部１２２に嵌入して保持される。このように下シャーシ１４０（図７参照）は、ロック軸１４４ｂが軸ロック部１２２に嵌入することで図６に示した前後及び上下方向の動きを固定することができる。
【００１２】
また、図８（ａ）に示したアーム１５０とスライダ１４４との間には、ロックプレート１５７が上下方向にスライド可能に装着されている。従って、ロックプレート１５７は、アーム１５０の動作に伴って、図８（ｂ）に示したように、下ケース１２０のプレートロック部１２５（図６参照）に嵌入して下シャーシ１４０の前後及び上下方向の動きを固定する。
このように、従来のフローティングロック装置は、ＭＤ１を排出する際、ロックピン１３４、ロック脚１４２、ロック軸１４４ｂ、ロックプレート１５７を各々上ケース１１０及び下ケース１２０に係合することにより、下シャーシ１４０と上シャーシ１３０とをフローティングからロック状態に固定していた。
【００１３】
【発明が解決しようとする課題】
しかしながら、従来のフローティングロック装置では、図６乃至図８に示したように、フローティング状態の下シャーシ１４０及び上シャーシ１３０をロックする場合、ロックピン１３４、ロック脚１４２、ロック軸１４４ｂ、ロックプレート１５７などのロック専用の部品を複数必要とするため、装置全体の製造コストが高くなるという不具合があった。
本発明はこのような課題を解決し、本体内のフローティングシャーシを排出時に簡単な構造で容易にロック状態にできる低コストのフローティングロック装置を提供することを目的とする。
【００１４】
【課題を解決するための手段】
本発明は上述の課題を解決するために、上ケース及び下ケースからなる本体と、この本体内の再生位置で衝撃を吸収するフローティング状態に支持される下シャーシと、この下シャーシに載置されて駆動する駆動源と、下シャーシ上で駆動源により左右方向に摺動するカムが形成されたスライダと、下シャーシの左右両側面で回転可能に支持されてカムと係合してスライダの動作に連動して先端側を昇降するアームと、下シャーシの上部でアームの先端に支持されて昇降するとともに駆動源に連動する排出アームにより記録媒体を保持して再生位置と排出位置とに前後動するサブシャーシを有した上シャーシと、スライダに設けられたロック軸、及びサブシャーシに設けられたロックピン、並びにアームからなる下シャーシのフローティング状態をロックするロック専用部品とを備え、このロック専用部品は、記録媒体の排出時に、駆動源からスライダを介してアームが上シャーシを上昇させてサブシャーシを排出位置に摺動させ、この摺動によりサブシャーシのロックピンが上ケースに係合するとともに、スライダの摺動によりロック軸が下ケースに設けたクランク状の切り欠き部を形成した軸ロック部に係合することで下シャーシと共に前記アームが前後動して該アームの先端を上ケースに係合させる。
【００１５】
ここで、ロック専用部品は、スライダから延在するロック軸の中間部を細く設け、このロック軸（４４ｂ）の細い中間部を軸ロック部のクランク状の切り欠き部に嵌入することが好ましい。また、アームには、ロック専用部品として前進時または後退時のいずれかによる摺動動作時に本体内の上面に係合する先端部を設けるとともに、この係合時に下シャーシの底面を保持する受け部を一体に形成することが好ましい。また、下シャーシは、両側面に複数のダンパを装着し、このダンパを本体の上ケース及び下ケースにより保持してフローティング状態に支持することが好ましい。また、駆動源は、モータであることが好ましい。
【００１６】
【発明の実施の形態】
次に、添付図面を参照して本発明によるフローティングロック装置の実施の形態を詳細に説明する。図１は、本発明によるフローティングロック装置の実施の形態を示す構成図である。また、図２は、図１に示したフローティングロック装置の動作を示す動作説明図であり、図２（ａ）はローディング状態を、図２（ｂ）はアンローディング状態を各々示している。また、図３は、図２に示したスライダ４４の動作を示す図であり、図３（ａ）はフローティングしている状態を、図３（ｂ）はロックした状態を各々示している。また、図４は、図１に示した矢印Ａ及びＢ方向から見た軸ロック部２２によるアーム５０のロック動作を示す動作説明図であり、図４（ａ）はフローティング状態を、図４（ｂ）は後退した状態を、図４（ｃ）はロックした状態を各々示している。また、図５は、本発明によるフローティングロック装置の他の実施の形態を示す図である。
【００１７】
図１に示すように、本発明によるフローティングロック装置の実施の形態は、図６に示した従来技術と同様に、ＭＤ再生装置に採用したものでありＭＤ再生装置の内部に収納する上面及び側面を備えた板状の上ケース１０と、この上ケース１０の底面に装着する板状に延在した下ケース２０と、この上ケース１０及び下ケース２０の内部にフローティング（浮遊）状態に支持される下シャーシ４０と、この下シャーシ４０の上部にＭＤ１を保持して設置する上シャーシ３０とを備えている。
【００１８】
ここで、上ケース１０は、上面の図１に示した前後方向に細長く開口して前方の端部が狭くなるように形成したピンロック部１２を備えている。また、上ケース１０には、両側面の下端を一部切り欠いたダンパ固定部１４を形成している。この上ケース１０には、図６に示した従来技術とは異なり、両側上面に開口穴を設けて内部で略Ｌ字状に屈曲（図４参照）するアームロック部１０ａを一体に形成している。
【００１９】
また、上シャーシ３０は、図６に示した従来技術と同様に、前後方向に摺動可能なサブシャーシ３２を内部に支持し、バネ３１により前後方向のいずれか一方に付勢している。このサブシャーシ３２には、上面に突出するロックピン３４が設けられている。このロックピン３４は、上シャーシ３０の上面に細長く切り欠いた開口部３８を形成して、この開口部３８から突出するように配置している。また、上シャーシ３０には、左右両側面から突出するシャーシピン３６を設けている。
【００２０】
また、下シャーシ４０は、両側面に上シャーシ３０のシャーシピン３６を設置する設置部４１を形成している。また、下シャーシ４０には、所定の電力により回転駆動するモータ４３を後部に載置している。このモータ４３の近傍には、モータ４３の動作に連動して左右方向にスライドするスライダ４４を設けてある。このスライダ４４には、略クランク形状に開口したカム４４ａと、スライダ４４を左右にスライドさせるギヤ４４ｃとを備えている。また、モータ４３の近傍には、モータ４３の動作に連動して回動する排出アーム４６を配置している。また、下シャーシ４０には、左右両側面に振動等の衝撃を吸収できるダンパ６０を４箇所装着できるように形成するとともに、後述するアーム５０を回転可能に支持するアームピン４５を設けている。ここで、下シャーシ４０は、図６に示した従来技術とは異なり、従来技術に用いたロックアーム（図６に示した１４２）を設けておらず、ロック専用部品の削減を実現している。
【００２１】
また、下ケース２０には、表面に脚ロック部及びプレートロック部（図６に示した１２４）を形成せず、後部に軸ロック部２２のみを形成している。この軸ロック部２２は、上部に略クランク状に切り欠いた切り欠部２２ａを形成している。そして、下ケース２０の表面には、従来技術と同様に、左右両端から上部に突出してダンパ６０を支持する支持部２６が４箇所設けられている。
【００２２】
また、上シャーシ３０は、シャーシピン３６を下シャーシ４０の設置部４１に設置し、後部からコ字状に形成されたアーム５０を係合することで下シャーシ４０に載置される。ここで、アーム５０は、下シャーシ４０のアームピン４５に回転可能に軸支するアーム孔５４と、シャーシピン３６に嵌入する係合部５６とを一体に形成している。この際、係合部５６は、図６に示した従来技術とは異なり、コ字状の先端を更に長く延在させた先端部５０ａを形成している。また、アーム５０には、アーム孔５４と係合部５６との間に下部方向に略Ｌ字状に屈曲して延在する受け部５０ｂを一体に形成している。そして、このアーム５０には、後部内側に突出するピン５２を設け、このピン５２は従来技術と同じく（図６に示した１５７）ロックプレート５７を介在して、スライダ４４のカム４４ａに直接挿入している。このロックプレート５７は、図８に示した従来技術と同様に、下ケース２０にプレートロック部２５を設けて嵌合させることで下シャーシ４０の動きを固定する。なお、ロックプレート５７の動作は、図８に示した従来技術と同様であるため、重複する説明は省略する。
【００２３】
このような構成からなる本発明によるフローティングロック装置の実施の形態は、図２（ａ）に示すように、ダンパ６０により上シャーシ３０と下シャーシ４０とが上ケース１０及び下ケース２０の内部にフローティング状態で設置される。この際、ダンパ６０は、図１に示した上ケース１０のダンパ固定部１４に圧入し、この上ケース１０に下ケース２０を装着することで、下ケース２０の支持部２６により支持されている。
【００２４】
そして、このような本発明によるフローティングロック装置の実施の形態は、図２（ａ）に示したフローティング状態からＭＤ１を排出する際に下シャーシ４０をロック状態にするフローティングロック動作を実行する。ここで、まずＭＤ１をローディングした状態から排出する場合、モータ４３が駆動し、この回転動作をギヤ４４ｃ（図１参照）により左右の動作に変換することでスライダ４４が左右方向にスライドする。そして、スライダ４４が左右にスライドすると、スライダ４４のカム４４ａに挿入されたアーム５０のピン５２が上下に動作し、アーム５０がアーム孔５４を中心に回動する。また、スライダ４４が左右にスライドすると、アーム５０の回動に伴って排出アーム４６が回転する。このように、モータ４３が駆動すると、図２（ｂ）に示すように、アーム５０が回動して上シャーシ３０を上部に上昇させるとともに、排出アーム４６が回転して上シャーシ３０内のサブシャーシ３２を前方向に押し出してバネ３１を反転させることで付勢力によりＭＤ１を排出する。
この際、サブシャーシ３２に設けたロックピン３４は、上ケース１０の上面に形成したピンロック部１２（図１参照）に挿入される。これにより上シャーシ３０及び下シャーシ４０は、ロックピン３４により上ケース１０及び下ケース２０内で左右上下のフローティング動作を固定することができる。
【００２５】
また、図３（ａ）に示すように、スライダ４４の底部には、垂直に延長するロック軸４４ｂが設けられている。このロック軸４４ｂは、スライダ４４の底面から延在して中間部を細く形成している。そして、ロック軸４４ｂの下端には、下ケース２０が位置しており、この下ケース２０の表面にはロック軸４４ｂが移動する方向に略クランク状の切り欠き部２２ａを形成した軸ロック部２２が配置されている。従って、ロック軸４４ｂは、モータ４３（図２参照）の駆動によりスライダ４４がスライドすることで、図３（ｂ）に示すように、軸ロック部２２に嵌入して両側が保持されるロック専用部品として形成している。このロック専用部品は、本体（下ケース２０）または下シャーシ４０のいずれか一方にロック軸４４ｂを設け、他方に軸ロック部２２を設けてあればよい。このように下シャーシ４０は、ロック軸４４ｂが軸ロック部２２に嵌入することで、図１に示した前後及び上下方向の動きを固定することができる。
【００２６】
ここで、軸ロック部２２は、ロック軸４４ｂを挿入する切り欠き部２２ａを略クランク状に形成しているため、この切り欠き部２２ａに沿ってロック軸４４ｂが前後方向に摺動するように形成している。従って、ロック軸４４ｂが摺動すると、上ケース１０及び下ケース２０内にフローティングロックされた下シャーシ４０やアーム５０も同時に前後方向に摺動する。
さらに、詳しく説明すると、ロック軸４４ｂが軸ロック部２２の切り欠き部２２ａに嵌入していない場合、図４（ａ）に示すように、下シャーシ４０はダンパ６０（図２参照）により上ケース１０及び下ケース２０内にフローティングした状態で配置されている。この際、アーム５０のアーム孔５４は、図４（ａ）に示した中心線Ｃの位置に配置されている。
【００２７】
そして、ＭＤ１を排出するためにモータ４３を駆動してスライダ４４を摺動させると、アーム５０が回転するとともに図４（ｂ）に示すように、ロック軸４４ｂが軸ロック部２２の切り欠き部２２ａに挿入してアーム５０及び上シャーシ３０とともに後方に移動する。この際、アーム５０のアーム孔５４は、図４（ｂ）に示した中心線Ｄの位置に後退している。
そして、アーム５０が最終位置まで回転すると、上シャーシ３０を上ケース１０及び下ケース２０内のアンローディング位置に上昇させる。この際、ロック軸４４ｂは、図４（ｃ）に示すように、略クランク状の切り欠き部２２ａ内で摺動し、アーム５０及び上シャーシ３０とともに再び前方向に移動して停止する。このようにロック軸４４ｂは、アーム孔５４の位置が、中心線Ａの位置から中心線Ｂの位置に後退し、その後再び中心線Ａの位置に移動するようにアーム５０及び上シャーシ３０を誘導する。
【００２８】
ここで、アーム５０は、図４に示した動作により、先端の先端部５０ａが上ケース１０のアームロック部１０ａに係合する。即ち、アーム５０は、図４に示したアーム孔５４の位置が中心線Ａの位置から中心線Ｂの位置に後退することで、先端部５０ａがアームロック部１０ａの近傍まで移動し、その後、再び中心線Ａの位置に移動することでアームロック部１０ａ内に先端部５０ａが挿入して固定される。このようにアーム５０は、図４に示した動作により、アームロック部１０ａに嵌入して下シャーシ４０の図１に示した前後左右及び上下方向の動きを固定する。この際、アーム５０は、図４（ｃ）に示したように、受け部５０ｂが下シャーシ４０の底面を支持するように係合する。これはフローティング状態を先端部５０ａの係合のみで支持した場合、下シャーシ４０の重心に対して大きくずれた位置（アーム孔５４の位置）で支持しており、例えば、垂直方向に過度な加速度が加わると下シャーシ４０及びアーム５０などの部品が変形するため、アーム５０に受け部５０ｂを設けて変形を防止している。
【００２９】
また、本発明によるフローティングロック装置の実施の形態は、図４に示したように軸ロック部２２の切り欠き部２２ａによりアーム５０の先端部５０ａを後退させて再び排出方向に前進させてアームロック部１０ａに係合する実施の形態を説明したが、図５に示すように、切り欠き部９２ａの形状を変えることによりアーム８０の先端部８０ａを前進させた後に後退させてロックすることも可能である。この場合、アーム８０は、先端部８０ａを後側に屈曲させて略Ｕ字状に形成することで、後退する際に係合できるように形成する。また、上ケース７０には、排出方向に向かって略Ｌ字状に屈曲するアームロック部７０ａを形成している。従って、アーム８０は、軸ロック部９２の切り欠き部９２ａによって先端部５０ａが一時前進し、その後、後側に後退することで図５に示したようにアームロック部７０ａと係合する。
【００３０】
このように、本発明によるフローティングロック装置の実施の形態は、ＭＤ再生装置内からＭＤを排出する際、ロックピン、ロック軸、アームを上ケース及び下ケースに係合することで、フローティング状態の下シャーシを固定することが可能になる。従って、本実施の形態では、図６に示した従来技術のロック脚（図６に示した１４２）などのロック専用の部品を削減することが可能になる。
【００３１】
以上、本発明によるフローティングロック装置の実施の形態を詳細に説明したが、本発明は前述の実施の形態に限定されるものではなく、その要旨を逸脱しない範囲で変更可能である。
例えば、ＭＤ再生装置に採用したフローティングロック装置の実施の形態を説明したが、これに限定されるものではなく、ＭＯなどの記録媒体を再生する再生装置にも採用可能である。
【００３２】
【発明の効果】
このように、本発明のフローティングロック装置によれば、記録媒体を排出する際に上シャーシを昇降するアームが上ケースに係合してフローティングシャーシのフローティング状態をロックするため、ロック専用の部品を複数設ける必要がなくなり部品の削減が可能になるとともに、装置全体の製造コストを低減することができる。
【図面の簡単な説明】
【図１】本発明によるフローティングロック装置の実施の形態を示す構成図。
【図２】図１に示したフローティングロック装置の動作を示す動作説明図。
【図３】図２に示したスライダの動作を示す図。
【図４】図１に示した矢印Ａ及びＢ方向から見た軸ロック部によるアームのロック動作を示す動作説明図。
【図５】本発明によるフローティングロック装置の他の実施の形態を示す図。
【図６】従来のフローティングロック装置を示す構成図。
【図７】図６に示したフローティングロック装置の動作を示す動作説明図。
【図８】図７に示したスライダの動作を示す図。
【符号の説明】
１      ＭＤ
１０    上ケース
１０ａ  アームロック部
１２    ピンロック部
１４    ダンパ固定部
２０    下ケース
２２    軸ロック部
２２ａ  切り欠き部
２５    プレートロック部
２６    支持部
３０    上シャーシ
３１    バネ
３２    サブシャーシ
３４    ロックピン
３６    シャーシピン
３８    開口部
４０    下シャーシ
４１    設置部
４３    モータ
４４    スライダ
４４ａ  カム
４４ｂ  ロック軸
４４ｃ  ギヤ
４５    アームピン
４６    排出アーム
５０    アーム
５０ａ  先端部
５２    ピン
５４    アーム孔
５６    係合部
５７    ロックプレート
６０    ダンパ
【図１】
0003606442.tif 000002
【図２】
0003606442.tif 000003
【図３】
0003606442.tif 000004
【図４】
0003606442.tif 000005
【図５】
0003606442.tif 000006
【図６】
0003606442.tif 000007
【図７】
0003606442.tif 000008
【図８】
0003606442.tif 000009